(57)【要約】携帯電子デバイス（１００）に取り付けられたソケットアクセサリ（２００）と共に使用するためのスピニングアクセサリ（８００）。スピニングアクセサリは、ソケットアクセサリを受け入れるようにサイズ設定された軸受組立体（８０１）と、軸受組立体の内側表面によって担持された把持部材（８０３）とを含む。軸受組立体は、ソケットアクセサリに対するスピニングアクセサリの一部分の回転を容易にする。把持部材は、ソケットアクセサリの一部分としっかり係合するように適合される。
2020516195.tif 000002
【特許請求の範囲】
【請求項１】
携帯電子デバイスに取り付けられたソケットアクセサリと共に使用するためのスピニングアクセサリであって、
前記ソケットアクセサリを受け入れるようにサイズ設定された中央開口部を画定する内側リングと、
前記内側リングを取り囲む外側リングと、
前記内側リングと前記外側リングとの間に配置された１つまたは複数のボールであって、前記携帯電子デバイスが前記スピニングアクセサリの一部分に対して回転可能となるような前記内側リングと前記外側リングとの間の回転を容易にするように構成される、１つまたは複数のボールと、
前記内側リングの内側表面によって担持された把持部材であって、前記ソケットアクセサリの一部分としっかり係合するように適合される、把持部材と
を備えるスピニングアクセサリ。
【請求項２】
前記外側リングは固定され、前記内側リングは前記外側リングに対して回転可能である請求項１に記載のスピニングアクセサリ。
【請求項３】
前記外側リングによって担持された把持リムをさらに備える請求項１に記載のスピニングアクセサリ。
【請求項４】
前記把持部材は、把持表面、１つもしくは複数の突出部、１つもしくは複数の磁石、または１つもしくは複数の環状凹部の少なくとも１つを備える請求項１に記載のスピニングアクセサリ。
【請求項５】
前記把持部材は把持表面を備える請求項１に記載のスピニングアクセサリ。
【請求項６】
前記把持表面は、ゴムまたはゲル材料から作製される請求項５に記載のスピニングアクセサリ。
【請求項７】
前記１つまたは複数のボールは、前記内側リング周りに円周方向に配置された複数のボールを備える請求項１に記載のスピニングアクセサリ。
【請求項８】
携帯電子デバイスに取り付けられたソケットアクセサリと共に使用するためのスピニングアクセサリであって、
前記ソケットアクセサリを受け入れるようにサイズ設定された軸受組立体であって、前記ソケットアクセサリに対する前記スピニングアクセサリの一部分の回転を容易にする、軸受組立体と、
前記軸受組立体の内側表面によって担持された把持部材であって、前記ソケットアクセサリの一部分としっかり係合するように適合される、把持部材と、
前記軸受組立体の外側表面によって担持された把持リムと
を備えるスピニングアクセサリ。
【請求項９】
前記軸受組立体はボール軸受組立体を備え、前記ボール軸受組立体は、
前記ソケットアクセサリを受け入れるようにサイズ設定された内側リングと、
前記内側リングを取り囲む外側リングであって、前記内側リングおよび前記外側リングは、前記スピニングアクセサリが前記ソケットアクセサリに対して回転可能となるように互いに対して回転可能である、外側リングと、
前記内側リングと前記外側リングとの間に配置された複数のボールであって、前記内側リングと前記外側リングとの間の回転を容易にするように構成される、複数のボールと
を含み、
前記把持部材は、前記内側リングの内側表面によって担持され、前記把持リムは、前記外側リングによって担持される請求項８に記載のスピニングアクセサリ。
【請求項１０】
前記把持部材は、把持表面、１つもしくは複数の突出部、１つもしくは複数の磁石、または１つもしくは複数の環状凹部の少なくとも１つを備える請求項８に記載のスピニングアクセサリ。
【請求項１１】
前記把持部材は把持表面を備える請求項８に記載のスピニングアクセサリ。
【請求項１２】
前記把持表面は、ゴムまたはゲル材料から作製される請求項１１に記載のスピニングアクセサリ。
【請求項１３】
持ち運び可能なメディアプレーヤ用のアクセサリの組立体であって、
前記持ち運び可能なメディアプレーヤまたは前記持ち運び可能なメディアプレーヤ用のケースへの取り付けのためのソケットアクセサリであって、前記ソケットは、
前記ソケットアクセサリを前記持ち運び可能なメディアプレーヤまたは前記持ち運び可能なメディアプレーヤ用の前記ケースに取り付けるためのプラットフォーム、および
前記プラットフォームに対して離間されたボタン
を備える、ソケットアクセサリと、
前記ソケットアクセサリの前記ボタンに取り付け可能なスピニングアクセサリであって、
前記ソケットアクセサリに対する前記スピニングアクセサリの一部分の回転を容易にするように構成された軸受組立体、および
前記軸受組立体の内側表面によって担持され、前記ボタンの表面としっかり係合して前記スピニングアクセサリを前記ソケットアクセサリに取り付けるように構成された把持部材
を備える、スピニングアクセサリと
を備える組立体。
【請求項１４】
前記ボタンは、前記ソケットアクセサリが延長可能となるように前記プラットフォームに対して移動可能である請求項１３に記載の組立体。
【請求項１５】
前記ソケットアクセサリは、軸に沿って延長可能であり、前記スピニングアクセサリは、前記軸周りで前記ソケットアクセサリに対して回転可能である請求項１３に記載の組立体。
【請求項１６】
前記ソケットアクセサリは、前記プラットフォームに結合された外板をさらに備え、前記外板は、折り畳まれた構成と拡張された構成との間で変形可能である請求項１３に記載の組立体。
【請求項１７】
前記ボタンは、前記プラットフォームの反対側の前記外板に結合される請求項１３に記載の組立体。
【請求項１８】
前記軸受組立体は、
前記ソケットアクセサリの前記ボタンを受け入れるようにサイズ設定された中央開口部を画定する内側リングと、
前記内側リングを取り囲む外側リングであって、前記内側リングおよび前記外側リングは互いに対して回転可能である、外側リングと、
前記内側リングと前記外側リングとの間に配置された１つまたは複数のボールであって、前記内側リングと前記外側リングとの間の回転を容易にするように構成される、１つまたは複数のボールと
を備え、
前記把持部材は、前記内側リングの内側表面によって担持される請求項１３に記載の組立体。
【請求項１９】
前記外側リングは固定され、前記内側リングは前記外側リングに対して回転可能である請求項１８に記載の組立体。
【請求項２０】
前記外側リングによって担持された把持リムをさらに備える請求項１８に記載の組立体。
【請求項２１】
前記把持部材は、把持表面、１つもしくは複数の突出部、１つもしくは複数の磁石、または１つもしくは複数の環状凹部の少なくとも１つを備える請求項１３に記載の組立体。
【請求項２２】
持ち運び可能なメディアプレーヤ用の拡張可能なスピニングアクセサリであって、
前記スピニングアクセサリを前記持ち運び可能なメディアプレーヤまたは前記持ち運び可能なメディアプレーヤ用のケースに取り付けるためのプラットフォームと、
前記プラットフォームに結合された外板であって、折り畳まれた構成と拡張された構成との間で変形可能である、外板と、
前記プラットフォームの反対側の前記外板に結合されたボタンと、
前記外板および前記ボタンに結合された軸受組立体であって、前記外板に対する前記ボタンの回転を容易にするように構成される、軸受組立体と
を備える拡張可能なスピニングアクセサリ。
【請求項２３】
前記外板に結合されたフレームをさらに備え、前記軸受組立体は前記フレームによって担持される請求項２２に記載の拡張可能なスピニングアクセサリ。
【請求項２４】
前記軸受組立体は、
前記ソケットアクセサリの前記ボタンを受け入れるようにサイズ設定された中央開口部を画定する内側リングと、
前記内側リングを取り囲む外側リングであって、前記内側リングおよび前記外側リングは互いに対して回転可能である、外側リングと、
前記内側リングと前記外側リングとの間に配置された１つまたは複数のボールであって、前記内側リングと前記外側リングとの間の回転を容易にするように構成される、１つまたは複数のボールと
を備える請求項２２に記載の拡張可能なスピニングアクセサリ。
【請求項２５】
前記外側リングは固定され、前記内側リングは前記外側リングに対して回転可能である請求項２４に記載の拡張可能なスピニングアクセサリ。
【請求項２６】
前記外板に結合されたフレームをさらに備え、前記軸受組立体の前記外側リングは、前記フレームに結合される請求項２４に記載の拡張可能なスピニングアクセサリ。
【発明の詳細な説明】
【技術分野】
【０００１】
本発明は、携帯電子デバイス用のアクセサリに関し、詳細には、携帯電子デバイスに取り付けられたときに携帯電子デバイスがアクセサリ（またはアクセサリの少なくとも一部）に対してスピンすることを可能にするアクセサリに関する。
【背景技術】
【０００２】
関連出願
本出願は、「Ｓｐｉｎｎｉｎｇ  Ａｃｃｅｓｓｏｒｙ  ｆｏｒ  ａ  Ｍｏｂｉｌｅ  Ｅｌｅｃｔｒｏｎｉｃ  Ｄｅｖｉｃｅ」と題する、２０１８年１月８日出願の米国特許仮出願第６２／６１４，９１６号明細書、および「Ｓｐｉｎｎｉｎｇ  Ａｃｃｅｓｓｏｒｙ  ｆｏｒ  Ｍｏｂｉｌｅ  Ｅｌｅｃｔｒｏｎｉｃ  Ｄｅｖｉｃｅ」と題する２０１７年４月３日出願の米国特許仮出願第６２／４８１，０４１号明細書の出願日の優先権および利益をさらに主張する、「Ｓｐｉｎｎｉｎｇ  Ａｃｃｅｓｓｏｒｙ  ｆｏｒ  ａ  Ｍｏｂｉｌｅ  Ｅｌｅｃｔｒｏｎｉｃ  Ｄｅｖｉｃｅ」と題する、２０１７年１０月１０日出願の米国特許非仮出願第１５／７２９，２６０号明細書の出願日の優先権および利益を主張する。これらの出願の各々の開示全体は、すべての用途および目的のために本明細書において参照により明示的に組み込まれている。
【０００３】
特許文献１は、延長可能なソケットアクセサリであって、アコーディオン様ソケット構造から形成され、それらの遠位端部において取り付けられたボタンを有する、携帯電子デバイスまたは携帯電子デバイス用のケースに取り付けるための延長可能なソケットアクセサリを開示する。取り付けられたとき、延長可能なソケットアクセサリは、携帯電子デバイス（および／またはそのケース）用のスタンドとして、携帯電子デバイス（および／またはそのケース）を把持し、電子デバイスに関連するコードを取り扱うために使用され得る。
【先行技術文献】
【特許文献】
【０００４】
【特許文献１】米国特許第８，５６０，０３１号明細書
【特許文献２】米国特許仮出願第６２／３７６，２３７号明細書
【発明の概要】
【発明が解決しようとする課題】
【０００５】
本開示の１つの態様は、携帯電子デバイスに取り付けられたソケットアクセサリと共に使用するためのスピニングアクセサリを提供する。
【課題を解決するための手段】
【０００６】
本開示の１つの態様は、携帯電子デバイスに取り付けられたソケットアクセサリと共に使用するためのスピニングアクセサリを提供する。スピニングアクセサリは、ソケットアクセサリを受け入れるようにサイズ設定された中央開口部を画定する内側リングと、内側リングを取り囲む外側リングと、内側リングと外側リングとの間に配置された１つまたは複数のボールとを含む。１つまたは複数のボールは、携帯電子デバイスがスピニングアクセサリの一部分に対して回転可能となるような内側リングと外側リングとの間の回転を容易にするように構成される。スピニングアクセサリは、内側リングの内側表面によって担持された把持部材も含む。把持部材は、ソケットアクセサリの一部分としっかり係合するように適合される。
【０００７】
本開示の別の態様は、携帯電子デバイスに取り付けられたソケットアクセサリと共に使用するためのスピニングアクセサリを提供する。スピニングアクセサリは、ソケットアクセサリを受け入れるようにサイズ設定された軸受組立体と、把持部材と、把持リムとを含む。軸受組立体は、ソケットアクセサリに対するスピニングアクセサリの一部分の回転を容易にする。把持部材は、軸受組立体の内側表面によって担持され、ソケットアクセサリの一部分としっかり係合するように適合される。把持リムは、軸受組立体の外側表面によって担持される。
【図面の簡単な説明】
【０００８】
【図１】拡張された位置にある、携帯電子デバイス用の拡張式ソケットアクセサリの１つの例の等角図である。
【図２】図１のものであるが、折り畳まれた位置にある、拡張式ソケットアクセサリの等角図である。
【図３】スピニング拡張式ソケットアクセサリの１つの例の側面図である。
【図４】スピニング拡張式ソケットアクセサリの別の例の側面図である。
【図５】図４のスピニング拡張式ソケットアクセサリの分解側面図である。
【図６】携帯電子デバイス用のスピニング拡張式アクセサリの別の例の等角図である。
【図７】携帯電子デバイス用のスピニング拡張式アクセサリの別の例の等角断面図である。
【図８】携帯電子デバイス用のスピニングアクセサリの別の例の等角図である。
【図９】スピニングアクセサリに組み込むことができる軸受組立体の１つの例の等角切断図である。
【図１０】携帯電子デバイス用のスピニング拡張式アクセサリの別の例の等角図である。
【図１１】拡張された位置にある、携帯電子デバイス用のスピニング拡張式アクセサリの別の例の斜視図である。
【図１２】図１１のスピニング拡張式アクセサリの断面図である。
【発明を実施するための形態】
【０００９】
本開示は、携帯電子デバイス（たとえばスマートフォン、タブレットコンピュータ、電子リーダ、デジタルメディアプレーヤ、カメラおよびスピニングアクセサリを受け入れるのに適した表面を有する他の携帯電子デバイス）用のスピニングアクセサリに関する。本明細書に開示する「スピニングアクセサリ」は、携帯電子デバイスに直接取り付けることができ、またはアクセサリを携帯電子デバイスケースもしくは携帯電子デバイスに取り付ける他のアクセサリに取り付けることによって間接的に取り付けることもできる。取り付けられたとき、スピニングアクセサリは、携帯電子デバイスがスピニングアクセサリまたはスピニングアクセサリのいくつかの部分に対して、比較的摩擦の無い状態でスピンすることを可能にする。スピニングアクセサリは、通常、軸受組立体（たとえばボール軸受組立体）を含み、この軸受組立体は、固定式に保持されたアクセサリの一部と、回転力が適切な方向にかけられたときに固定式部分に対してスピンする、アクセサリの残りの部分との間の低摩擦取り付け点を容易にする。代替的には、携帯電子デバイスおよびスピニングアクセサリの一部は、残りの部分が、回転力が適切な方向にこれにかけられたときにスピンする間、固定されて保持され得る。１つの実施形態では、スピニングアクセサリの一部の位置を固定するための方法は、この部分を表面上に載置するか、または装着することを含み、それによってこれと表面または表面上の装着デバイスとの間の摩擦が、これが取り付けられた携帯電子デバイスに回転力がかけられたときにこれが回転することを防止する。
【００１０】
１つの実施形態では、スピニングアクセサリは、取り外し可能、および携帯電子デバイス上で再位置決め可能とすることができる。他の実施形態では、スピニングアクセサリは、携帯電子デバイスまたはデバイスケース内に恒久的に接着または形成され得る。
【００１１】
スピニングアクセサリは、携帯電子デバイスに取り付けられたときに表面上でスピンするのに適した任意の適切なサイズおよび形状のものであることができる。
【００１２】
特定の場合、携帯電子デバイスのソフトウェアアプリケーションは、携帯電子デバイスがスピンしており、スピニングアクセサリが携帯電子デバイスに取り付けられている間、ユーザにフィードバックを提供することができる。ソフトウェアアプリケーションは、携帯電子デバイスのスピン作用に因果的に相関づけられる画像、ビデオ、または音の形態のフィードバック、携帯電子デバイスのスピン作用に対応する音振動、または携帯電子デバイスのスピン作用に対応する他のフィードバックを提供することができる。
【００１３】
いくつかの場合、携帯電子デバイスをスピンさせ、視聴するための方法が、提供される。携帯電子デバイスをスピンさせるための方法は、携帯電子デバイスの背面にスピニングアクセサリを取り付けることと、固定式物体（たとえばスピニングアクセサリの一部分）に対して携帯電子デバイスをスピンさせることと、アクセサリによって担持され、電子デバイスと無線通信（たとえばブルートゥース）するか、または電子デバイス自体によって担持されるジャイロメータまたは他のタイプの加速度計を用いて、スピンする携帯電子デバイスの角速度を検出することと、スピンする携帯電子デバイスの磁気配向を検出することと、角速度および磁気配向を使用して、携帯電子デバイスの視覚ディスプレイおよび／または音出力を変更することとを含む。携帯電子デバイスをスピンさせ、見るための方法は、スピニングアクセサリを携帯電子デバイスの背面に取り付けることと、携帯電子デバイスを固定式物体（たとえばスピニングアクセサリの一部分）に対してスピンさせることと、携帯電子デバイスのスクリーン上に視覚情報をディスプレイすることと、携帯電子デバイスのディスプレイを見ることとを含むことができ、携帯電子装置のディスプレイは、スピニングアクセサリが携帯電子デバイスに取り付けられたとき、携帯電子デバイスのスピン運動によって拡大されるように知覚される。
【００１４】
いくつかの実施形態では、ディスプレイ、ライト、およびスピーカならびに携帯電子デバイスの他の変換器は、スピニングアクセサリがこれに取り付けられた状態で、ジャイロスコープ、加速度計、磁気計、および携帯電子デバイスの他のセンサと共働して動作することができる。他の実施形態では、ディスプレイ、ライト、およびスピーカならびに携帯電子デバイスの他の変換器は、スピニングアクセサリがこれに取り付けられた状態で、携帯電子デバイスのセンサから独立して動作することができる。一実施形態では、携帯電子デバイスがスピンしている間、携帯電子デバイスのスピン速度および位置が、携帯電子デバイスのセンサによって検出され、使用されて、携帯電子デバイスおよびスピニングアクセサリの出力（たとえば、音声および／またはビデオ出力）を変更することができる。他の実施形態では、スピニングアクセサリは、運動ハーベスタを作りだすことができ、この中では、携帯電子デバイスおよびスピニングアクセサリのスピン作用が、携帯電子デバイスを充電する。運動ハーベスタは、封入されたＬＥＤライトを含むことができ、このＬＥＤライトは、スピニングアクセサリがスピンしているとき、または携帯電子デバイスがスピンしているときに係合される。さらなる実施形態では、スピニングアクセサリは、１つの軸受表面を他に対してスピンさせるように作用する電気機械モータを含むことができる。
【００１５】
携帯電子デバイスに取り付けられたスピニングアクセサリなどの特定の実施形態が本明細書において提示されてきたが、本明細書に開示するアクセサリは、本開示の性質から逸脱することなく、任意の数の異なる形状、サイズ、および構成のものであることができることを理解されたい。図を参照して記載する特定の実施形態に関して本明細書に説明する本開示の範囲は、過度に限定するようには意図されない。
【００１６】
本開示の１つの態様によれば、携帯電子デバイス用のスピニングアクセサリが提供される。携帯電子デバイスは、スマートフォン、タブレットコンピュータ、電子リーダ、ラップトップ、カメラ、ミュージックプレーヤなどであることができる。携帯電子デバイスは、前部表面と、背部表面と、側部表面とを有することができる。携帯電子デバイスは、タッチスクリーンまたはディスプレイ、そして一部の場合では、キーボードまたはボタンを有することができる。携帯電子デバイスは、１つまたは複数の表面上にカメラを有することができ、電源コードおよびヘッドフォンと相互作用するためのポートを有することができる。携帯電子デバイスは、通常、電池式であるが、一部の場合では、無線で給電され得る。
【００１７】
本明細書において説明するスピニングアクセサリは、携帯電子デバイス用の拡張式ソケットアクセサリに連結して使用され得る。たとえばドッキングアクセサリとして使用することができ、携帯電子デバイス用のグリップおよびスタンドとして使用するためのそのような拡張式ソケットアクセサリのさらなる説明を、本願の権利者が所有する特許文献１に見出すことができ、その開示全体は、参照により本明細書に組み込まれている。
【００１８】
図１および図２は、この例ではスマートフォンの形態をとる携帯電子デバイス１００に取り外し可能に結合された拡張式ソケットアクセサリ２００の１つの例を示す。図１および図２では、携帯電子デバイス１００は、平坦である後部表面を有するが、この後部表面はその代わりに湾曲することができる。拡張式ソケットアクセサリ２００は、携帯電子デバイス１００の後部表面に取り付けられる。
【００１９】
図１および図２に示すように、ソケットアクセサリ２００は、プラットフォーム２０１と、アコーディオン２０３と、ボタン２０４（本明細書では脚部と呼ぶこともある）２０４とを有する。プラットフォーム２０１は、固定要素またはソケットボードと呼ぶこともでき、通常は、ソケットアクセサリ２００を携帯電子デバイス１００に取り付けるように構成される（しかし、他の場合では、ソケットアクセサリ２００を携帯電子デバイス１００用のケースに取り付けることができる）。プラットフォーム２０１は、たとえば、ソケットアクセサリ２００を携帯電子デバイス１００に取り外し可能に取り付けるための接着材料２０２を含むことができる。他の例では、プラットフォーム２０１は、ソケットアクセサリ２００を携帯電子デバイス１００に取り付けるために、吸引カップ、特有のタイプの接着材料（たとえば糊、テープ）、またはねじ山、フックおよびルック締結手段、スナップ嵌めなどの機械的ロッキング手段を含む他の手段を含むことができる。プラットフォーム２０１は、熱可塑性ポリマー、ポリカーボネートなどの任意の適切な材料から作製され得る。代替的には、プラットフォーム２０１に剛性を提供する任意の他の材料または材料の組み合わせが使用され得る。
【００２０】
アコーディオン２０３は、プラットフォーム２０１に取り付けられる。アコーディオン２０３は、アクセサリ２００の中央軸２０６に沿ってプラットフォーム２０１に対して移動可能である。より詳細には、アコーディオン２０３は、図１に示すように拡張し、図２に示すように折り畳むことができる。アコーディオン２０３を作り出し、形成するために使用される材料は、可撓性熱可塑性エラストマー、ゴム、他の可撓性もしくは半剛性材料などの任意の適切な材料であることができる。アコーディオン２０３は、異なる厚さを有するその壁の部分を有して、図１に示すように拡張されたときに剛性を提供し、可撓性を提供して図２に示すようにそれ自体を折り畳むことができる。図示する実施形態では、アコーディオン２０３は、複数の折り畳み部を含み、ボタン２０４に隣接する最大直径からプラットフォーム２０１に隣接する最小直径まで収束する、次第に細くなったプロファイルを有する。折り畳み部は、アコーディオン２０３を折り畳み、拡張させ、折り畳まれた状態（図２）および／または拡張された状態（図１）で存在するときに構造的完全性を提供するのを支援することができる。次第に細くなった構成は、ユーザ用の快適な人間工学的把持特徴を提供するのを支援することができる。開示する実施形態では、アコーディオン２０３は、自己支持式であり、それにより、アコーディオン２０３を図１に示す拡張された位置に支持するための追加の構造は必要とされない。しかし、他の実施形態では、他の構造が使用され得る。実際、１つの実施形態では、ソケットアクセサリ２００は、付勢部材をさらに含むことができ、この付勢部材は、アコーディオン２０３の内側に配設されて、アクセサリ２００を図１に図示する拡張された状態に付勢する。アコーディオン２０３が付勢機構を含む実施形態では、ロッキング特徴を含んでアクセサリ２００を付勢デバイスの働きかけに反して折り畳まれた状態に保持することも有益となり得ることも理解されたい。そのようなロッキング特徴は、アクセサリ２００のボタン２０４とプラットフォーム２０１との間のスナップ嵌め連結の形態をとることができる。また、付勢デバイスを備えた実施形態では、アコーディオン２０３は、必ずしも折り畳み部を必要としなくてよく、それにより、アコーディオン２０３は、実際には、アコーディオンではなく、簡単なスカートまたは外板に似たものとなることも理解されたい。そのような付勢されるアクセサリの１つの例が、２０１６年８月１７日出願の、特許文献２に説明されており、その内容全体は、参照により本明細書に組み込まれている。
【００２１】
依然として図１および２を参照すれば、ボタン２０４は、これもまた軸２０６に沿ってプラットフォーム２０１に対して移動可能であるようにアコーディオン２０３に取り付けられる。ボタン２０４は、アコーディオン２０３に恒久的に取り付けられるようにアコーディオン２０３と共成形されるか、接着されるか、または一体的に成形され得る。代替的には、ボタン２０４は、アコーディオン２０３に取り外し可能に取り付けられ得る。たとえば、ボタン２０４は、アコーディオン２０３内の開口部と係合する、ボタン２０４から延びるタブ２０５によってアコーディオン２０３に取り付けられ得る。ボタン２０４を作りだすために使用される材料は、ポリカーボネートなどの任意の適切な材料であることができる。代替的には、木材、金属、ガラスなどの任意の他の材料または材料の組み合わせが使用されて、ボタン２０４を形成することができる。ボタン２０４は、剛性材料から形成することもでき、レザー、織物、ゲルなどの異なる材料を保持するための空洞を有することができる。ボタン２０４は、グラフィック、印刷もしくは成形された画像、またはテクスチャ、またはその組み合わせをその表面上に含むことができる。
【００２２】
図３は、スピニング拡張式ソケットアクセサリ３００の１つの例を示す。スピニング拡張式ソケットアクセサリ３００はまた、スピニングアクセサリ、スピナ、スピニングシステム、スピニングソケットアクセサリ、またはスピニングソケットと呼ぶこともできる。スピニングアクセサリ３００は、プラットフォーム３０１と、アコーディオン３０２と、ボタン３０３とを含む。プラットフォーム３０１は、プラットフォーム２０１に類似しており、プラットフォーム２０１と同じ態様すべてを含むことができる。アコーディオン３０２は、アコーディオン２０３に類似しており、アコーディオン２０３と同じ態様のすべてを含むことができる。ボタン３０３は、ボタン２０４に類似しており、ボタン２０４と同じ態様のすべてを含むことができる。したがって、プラットフォーム３０１、アコーディオン３０２、およびボタン３０３に関するさらなる詳細は、簡略にするために省略される。
【００２３】
スピニングアクセサリ３００のプラットフォーム３０１およびアコーディオン３０２に取り付けられるのは、ボール軸受組立体３０４の形態の軸受組立体である。ボール軸受組立体３０４は、複数のボールを保持するためのレースを含む２つのリングを含み、それにより、ボールを通じて、２つのリング間に運動および潜在的負荷が伝達される。ボール軸受組立体３０４は、回転摩擦をこうして低減し、それによって回転するときの２つの構成要素間の摩擦をより小さくするのを可能にする。
【００２４】
図９は、ボール軸受組立体３０４をより詳細に示す。図示するように、ボール軸受組立体３０４は、外側リング３１０と、内側リング３１２と、外側リング３１０と内側リング３１２との間に配置された複数のボール３１８とを含む。外側リング３１０は、外側レース３１４を画定し、外側表面３２０を含む。内側リング３１２は、内側レース３１６を画定し、内側表面３２２を含む。複数のボール３１８は、外側リング３１０の外側レース３１４と内側リング３１２の内側レース３１６との間に存在する。いくつかの場合、ボール３１８は、図９に示すようにケージ３２４内に収容され得る。ボール軸受組立体３０４は、ステンレス鋼、クロム鋼、およびいくつかの場合ではセラミックを含む、標準的なボール軸受に適した任意の材料から作製され得る。他の場合、ボール軸受３０４は、材料の混成であることができ、たとえば、ボール３１８は、セラミックボールであることができ、レース３１４、３１６は、金属から作製され得る。
【００２５】
上記で全体的に論じたように、スピニングアクセサリ３００の１つの部分は、固定式に保持されるか、または固定され、それにより、携帯電子デバイス１００は、スピニングアクセサリ３００の少なくとも固定された部分に対して回転可能である。いくつかの場合、ボール軸受組立体３０４の外側リング３１０は、固定式に保持され、一方で内側リング３１２は、外側リング３１０に対して回転する。他の場合、内側リング３１２は、固定式に保持され、一方で外側リング３１２は、内側リング３１２に対して回転する。さらに他の場合、スピニングアクセサリ３００の一部分を、リング３１０、３１２以外にまたはこれに加えて、固定することができ、または所望の動作を容易にするように回転可能とすることができる。
【００２６】
ボール軸受組立体３０４の内側リング３１２および外側リング３１０は、可変の厚さおよび可変の高さを有することができることが理解されよう。いくつかの場合、外側リング３１０および内側リング３１２は、図９に示すように同じ高さを有する。しかし、他の場合、外側リング３１０および内側リング３１２は、異なる高さを有することができる。ボール３１８は、可変にサイズ設定された内側レースおよび外側レース３１６、３１４に対応するように可変のサイズのものであることができることも理解されよう。
【００２７】
図３に戻って参照すると、ボール軸受組立体３０４は、プラットフォーム３０１から外方向に延び、アコーディオン３０２に連結される。ボール軸受組立体３０４は、任意の数の方法でプラットフォーム３０１に取り付けられ得る。いくつかの場合、ボール軸受組立体３０４は、接着剤を使用してプラットフォーム３０１に接着される。他の場合、ボール軸受組立体３０４は、プラットフォーム３０１内の開口部内に圧入される。さらに他の場合、ボール軸受組立体３０４は、糊、スナップ嵌め組立体、または音波もしくは振動溶接を使用して取り付けられ得る。さらなる場合、ボール軸受組立体３０４（またはその一部分）は、プラットフォーム３０１またはスピニングアクセサリまたは拡張式ソケット組立体２００の他の構成要素内に一体化され得る。
【００２８】
外側リング３１０の外側表面３２０は、プラットフォーム３０１内の開口部に接着されるか、または圧入され得る。ボール軸受組立体３０４を備えたプラットフォーム３０１が携帯電子デバイスの表面（図示せず）または携帯電子デバイス用のケース（これも図示せず）に取り付けられると、ボール軸受３０４の外側リング３１０は固定式となり（すなわち移動せず）、内側リング３１２は、スピニングアクセサリ３００（より具体的にはボール軸受組立体３０４）の軸３０６周りで外側リング３１０に対して回転する状態となる。他の実施形態では、ボール軸受３０４の内側リング３１２は、プラットフォーム３０１に接着可能であり、それにより、内側リング３１２は固定式となり、ボール軸受組立体３０４の外側リング３１０は、軸３０６の周りで内側リング３１２に対して自由にスピンする状態となる。さらに他の実施形態では、外側リング３１０または内側リング３１２は、軸３０６とは異なる軸周りを回転可能である。
【００２９】
図３では幾分見づらいが、ボール軸受組立体３０４の内側リング３１２は、アコーディオン３０２に取り付けられ得る。アコーディオン３０２は、内側リング３１２に圧入される、もしくはその内部に延びるか、または別の形でボール軸受３０４の内側リング３１２に取り付けられる部分を有することができる。ボール軸受組立体３０４は、アコーディオン３０４および取り付けられたボタン３０３が軸３０６の周りをスピンすることを可能にする。スピニングアクセサリ３００が携帯電子デバイス１００の後部表面（図１および２に示す）に取り付けられたとき、携帯電子デバイス１００をボタン上に載置するように位置決めすることができ、このときボタン３０３は、テーブルまたは他の硬質表面などの外部表面上に載置している。ボタン３０３が外部表面上に載置している状態で、携帯電子デバイス１００を回転させるか、またはスピンさせて、プラットフォーム３０１とアコーディオン３０２との間に相互作用するボール軸受組立体３０４の低減された摩擦回転によって長時間化される、携帯電子デバイス１００のスピンを開始することができる。
【００３０】
スピニングアクセサリ３００は、軸３０６の周りを、アコーディオン３０２が延長されるかまたは折り畳まれた状態でスピンすることができる。したがって、プラットフォーム３０１が携帯電子デバイスの表面に取り付けられたとき、スピニングアクセサリ３００は、アコーディオン３０２が延長されるか、または折り畳まれている間、スピンすることができる。スピニングアクセサリ３００が携帯電子デバイスに取り付けられ、外部表面上に置かれたとき、携帯電子デバイスは、スピニングアクセサリ３００に対してスピンすることができる。スピニングアクセサリ３００もまた、携帯電子デバイスが外部表面上に載置しており、スピニングアクセサリ３００が外部表面から離れて延びているとき、スピンすることができる。追加的に、スピニングアクセサリ３００は、携帯電子デバイスがユーザの手に保持されたときにスピンすることができ、または携帯電子デバイスは、スピニングアクセサリ３００がユーザの手に保持されている間スピンすることができる。同様に、スピニングアクセサリ３００が携帯電子デバイス用のケースに取り付けられたとき、ケース（したがってデバイス）は、スピニングアクセサリ３００が外部表面上に置かれたとき、ケースが外部表面上に置かれたとき、そしてケースまたはスピニングアクセサリ３００がユーザの手に保持されたときにスピンすることができる。
【００３１】
図３の軸受組立体３０４はボール軸受組立体であるが、軸受組立体は、その代わりに、たとえばボール軸受の代わりに針軸受または磁気軸受を使用するものなどの異なる軸受組立体の形態をとることができる。代替的には、ブッシングおよびワッシャが、ボール軸受組立体の代わりに使用されて、スピニングアクセサリ３００の所望の回転／スピン効果を作りだすことができる。
【００３２】
任意選択により、携帯電子デバイス１００上のライトは、スピニングアクセサリのスピン作用と共同して作動して、スピンの角速度および携帯電子デバイスの方向によって制御された、光ベースの視覚化を作りだすことができる。これらの視覚化は、携帯電子デバイス上に表示可能であり、音楽と同期させることができ、視覚化は、角速度と同期させることができ、またはいくつかの場合、視覚化は、ディスプレイおよび携帯電子デバイスがスピンしている間であっても固定式に現れ得る。他の実施形態では、携帯電子デバイスの音出力は、スピンの角速度および携帯電子デバイスの方向によって制御され得る。さらに他の実施形態では、携帯電子デバイスは、スピニングアクセサリが携帯電子デバイスに取り付けられたとき、携帯電子デバイスのスピン動作と共働して画像または一連の画像（たとえばビデオ）をディスプレイすることができる。
【００３３】
特定の実施形態では、ユーザがその携帯電子デバイス上にスピニングアクセサリを理想的に置くことを支援するパッケージングが、スピニングアクセサリ３００に含められ得る。パッケージングは、携帯電子デバイス表面のテンプレートなどの、携帯電子デバイスの表面と同じサイズである視覚インジケータを含むことができ、それにより、ユーザは、スピニングアクセサリ３００を携帯電子デバイスの表面と適正に位置合わせして円滑なスピン作用を確実にすることができる。スピン軸は、携帯電子デバイスの主な表面平面を直交することができ、スピン量はヨー（ｙａｗ）に等しくなり得る。角速度は、ｘ軸およびｙ軸方向を有する携帯電子デバイスの表面に対して、ｚ軸周りであることができる。スピン軸は、代替的には、ピッチ（ｐｉｔｃｈ）またはロール（ｒｏｌｌ）でｘ軸またはｙ軸周りを、装着システムを使用してスピンするように置かれてもよい。これにより、携帯電子デバイスはスピンし、観察者にはフレームとして現れ得る。フレーム速度は、単一のディスプレイのスピン作用のスピン速度と大体等価のものである。いくつかの実施形態では、スピニングシステムは、携帯電子デバイスの高速回転によって携帯電子デバイスのディスプレイの知覚される視覚サイズを増大させることができる。スピニングシステムは、知覚されるサイズを、携帯電子デバイスの標準的な矩形アスペクト比から円形ディスプレイのものに変更することができる。知覚される円形ディスプレイ直径は、実際のディスプレイの対角線スクリーンサイズと等価であることができる。
【００３４】
図４および図５は、別の例のスピニングアクセサリ４００を示す。スピニングアクセサリ４００は、プラットフォーム２０１に類似するプラットフォーム４０１と、アコーディオン２０３に類似するアコーディオン４０２と、ボタン２０４に類似するボタン４０３と、ボール軸受組立体３０４に類似するボール軸受組立体４０４とを含む。しかし、スピニングアクセサリ３００とは異なり、スピニングアクセサリ４００は、アコーディオン４０２、ボタン４０３、およびボール軸受組立体４０４に結合されたフレーム４０５を含む。
【００３５】
図５に最もよく示されるように、フレーム４０５は、周囲リム４１０と、周囲リム４１０をボール軸受組立体４０４に連結する複数のリブ４１１とを有する。リブ４１１は、こうして、周囲リム４１０から内方向にボール軸受組立体４０４に向かって径方向に延びる。周囲リム４１０は、（互いに実質的に等しい）アコーディオン４０２およびボタン４０３の直径と実質的に合致するようにサイズ設定された円形形状を有する。フレーム４０５は、ポリカーボネートまたは他の剛性材料などの任意の適切な材料から作製され得る。
【００３６】
この例では、フレーム４０５は、周囲リム４１０から外方向に、アコーディオン４０２の周囲内およびその周りに形成されたスロット４０７内に延びるタブ４０６を含むことができ、それによってフレーム４０５をアコーディオン４０２に結合させる。他の例では、フレーム４０５は、異なる形で（たとえば接着剤、磁気連結、摩擦嵌め、または任意の他の適切な手段を介して）アコーディオン４０２に結合され得る。この例では、フレーム４０５は、固定要素４０８によってボタン４０３に結合される。固定要素４０８は、ベース４１２と、ベース４１２から外方向に延びる突出部４１３とを有する。突出部４１３は、軸４１４の周りで中心に置かれ、ボール軸受組立体４０４の内方向に径方向に配置されたフレーム４０５の開口部４１５内に挿入され、次いで、ボール軸受４０４を通ってボタン４０３の下方向に延びる突起部４１６内にスナップ留めされ得る。他の例では、フレーム４０５は、異なる形で（たとえば、接着剤、磁気連結、摩擦嵌め、または任意の他の適切な手段を介して）ボタン４０３に結合され得る。さらに、この例では、ボール軸受組立体４０４は、組立体４０４をフレーム４０５に接着することによって、または組立体４０４をフレーム４０５内の開口部に圧入することによって、フレーム４０５に取り付けられ得る。いずれの場合も、組立体４０４がフレーム４０５に取り付けられ、フレーム４０５がアコーディオン４０２に結合されたとき、ボール軸受組立体４０４の外側リングは、固定式のままであり（すなわち回転せず）、フレーム４０５も同様である。スピニングアクセサリ４００は、アコーディオン４０２が延長されるか、または折り畳まれている間、機能することができる。
【００３７】
フレーム４０５がボタン４０３に結合されたとき、ボタン４０３は、ボール軸受組立体４０４に連結される。より詳細には、ボタン４０３の突出部４１６は、ボール軸受組立体４０４の内側リング内に取り外し可能に配設され、または代替的には、突出部４１６は、ボール軸受組立体４０４の内側リングに接着され得る。ボタン４０３がボール軸受組立体４０４の内側リングに結合されたとき、ボタン４０３は、スピン組立体４００の残りの部分に対して（たとえば外側リング）自由にスピンすることができる。したがって、スピニングアクセサリ４００が携帯電子デバイス１００の表面（またはデバイス１００用のケース）に取り付けられ、携帯電子デバイス１００（またはケース）が、ボタン４０３が固定式の外部表面上に載置するように位置決めされたとき、ボタン４０３は、外部表面上に載置している摩擦によって固定式のままであることができ、一方でスピニングアクセサリ４００の残りの構成要素は、ボール軸受組立体４０４の回転によって容易に（または比較的に摩擦無しで）スピンすることができる。いくつかの場合、ボタン４０３は、より高い摩擦構造の材料から作製するか、またはこれを含むことができ、それによってボタン４０３を外部表面上に固定式のまま保ち、一方でスピニングアクセサリ４００の残りの構成要素は、軸４１４の周りをスピンする。
【００３８】
ボール軸受組立体４０４がアコーディオン４０２のより大きい直径に沿ってより近くに延びるように、より大きい直径のボール軸受組立体４０４を収容する能力を含んで、フレーム４０５が、さまざまな形状および／またはサイズを有することができることが理解されよう。いくつかの場合、ボール軸受組立体４０４は、アコーディオン４０２の上部分、またはボタン４０３の外径と同じ、またはほぼ同じ直径を有することができる。突出部４１６の直径もまた、ボール軸受組立体４０４のより大きい直径の内側リングおよび外側リングに対応するように増大され得る。ボール軸受組立体４０４の直径の大きさに応じて、フレーム４０５は、図５に示すようなリブ４１１を有することができ、またはボール軸受組立体４０４に対応するようにサイズ設定された開口部を備えた中実部分であることができる。図５の配置は、スピニングアクセサリ４００のより軽量でより細い構成要素を提供することができ、製造をより容易にすることができるのに対して、中実フレーム４０５は、スピンするときのスピニングアクセサリ４００の安定性を強化することができる。
【００３９】
さらに、フレーム４０５が（プラットフォーム４０１、アコーディオン４０２、ボタン４０３およびボール軸受組立体４０４と共に）スピニングアクセサリ４００の一部であるように説明されているが、それにも係わらず、フレーム４０５それ自体が、スピニングアクセサリ４００であることができることが理解されよう。換言すれば、ソケットアクセサリ２００などのソケットアクセサリに、フレーム４０５が後付けされて、ソケットアクセサリ２００をスピニングソケットアクセサリに変換することができる。これは、たとえば、ボタン２０４をアコーディオン２０３から取り外し、フレーム４０５をアコーディオン２０３に取り付け（たとえばスナップ留めし）、次いで、ボタン２０４をアコーディオン２０３およびフレーム４０５に取り付けることによって達成され得る。フレーム４０５は、上記で説明したように、または異なる形でアコーディオン２０３に取り付けられ得る。同様に、ボタン２０４も、上記で説明したようにまたは異なる形でアコーディオン２０３およびフレーム４０５に取り付けられ得る。
【００４０】
図６は、携帯電子デバイス１００の表面に取り付けられた別の例のスピニングアクセサリ５００を示す。スピニングアクセサリ５００は、プラットフォーム２０１に類似するプラットフォーム５０１と、ボタン２０３に類似するボタン５０３と、ボール軸受組立体２０４に類似し、プラットフォーム５０１およびボタン５０３に取り付けられたボール軸受組立体５０４とを含む。上記の論議に従い、ボタン５０３は、ポリカーボネートまたは他の硬質材料、半硬質材料、またはエラストマーなどの任意の適切な材料から作製することができ、グラフィック、画像、または成形されたまたは取り付けられたテクスチャをその面上に含むことができる。アコーディオン２０３を含むスピニングアクセサリ２００とは異なり、スピニングアクセサリ５００は、アコーディオン２０３の代わりに延長部５０２を含む。
【００４１】
延長部５０２は、プラットフォーム５０１と一体的に形成することができ、またはスナップ嵌め、圧入、弾性圧縮、磁気取り付け、機械的手段、または他の適切な手段によってプラットフォーム５０１に連結され得る。延長部５０２は、高さおよび形状が可変になり得る。いくつかの実施形態では、ボール軸受組立体５０４の内側リングは、延長部５０２に取り付けられるか、または連結され、ボール軸受組立体５０４の外側リングは、ボタン５０３に取り付けられるか、または連結される。したがって、ボタン５０３が表面上に載置しているとき、ボタン５０３は固定式のままであり、一方で、延長部５０２およびプラットフォーム５０１は、取り外し可能に取り付けられた携帯電子デバイス１００と共に、ボール軸受組立体５０４によってボタン５０３に対して自由にスピンし、スピンし続けることができる。他の実施形態では、ボール軸受組立体５０４の内側リングおよび外側リングは、プラットフォーム５０１およびボタン５０３と一体化され得る。いくつかの実施形態では、ボール軸受組立体５０４の外側リングをプラットフォーム５０１と一体化させることができ、ボール軸受組立体５０４の内側リングをボタン５０３と一体化させることができる。しかし、他の実施形態では、ボール軸受組立体５０４の外側リングは、ボタン５０３と一体化され、ボール軸受組立体５０４の内側リングは、プラットフォーム５０１と一体化される。
【００４２】
スピニングアクセサリ５００は、スピニングアクセサリ４００に類似する形で作動するが、スピニングアクセサリを延長し、折り畳むアコーディオン構成要素は有さない。図７は、別の例のスピニングアクセサリ６００を示す。スピニングアクセサリ６００は、スピニングアクセサリ５００に類似する。したがって、スピニングアクセサリ６００は、プラットフォーム６０１と、ボタン６０２と、ボール軸受組立体６０３とを含む。プラットフォーム６０１は、プラットフォーム２０１に類似しており、ボタン６０２は、ボタン２０４およびボタン５０３に類似している。
【００４３】
図８は、スピニングクリップ７００の一例を示す。スピニングクリップ７００は、プラットフォーム２０１に類似するプラットフォーム７０１と、隆起したプレート７０２と、ボール軸受組立体３０４に類似するボール軸受組立体７０３と、クリップリム７０４とを含む。
【００４４】
図１０は、さらに別の例のスピニングアクセサリ８００を示す。スピニングアクセサリ８００は、ボール軸受組立体８０１の形態の軸受組立体を含む。ボール軸受組立体８０１は、これが内側リングおよび外側リングを含むという点で、ボール軸受３０４に類似している。スピニングアクセサリ８００はまた、外側リングによって担持された（たとえば、外側リングに取り付けられた）延長された表面８０２を含む。一例として、延長された表面８０２は、外側リングから外方向に軸方向に延びることができる。把持バンド、把持リム、または延長されたリムと呼ぶこともできる、延長された表面８０２は、ゴム、熱可塑性物質またはポリマーの範囲を含む、任意の高摩擦または把持材料から作製され得る。スピニングアクセサリ８００はまた、延長式ソケットアクセサリの一部分としっかり係合するための、内側リングの内側表面によって担持された把持部材８０３を含む。図示する例では、把持部材８０３は、内側リングの内側表面によって担持された（たとえば内側表面に取り付けられた）内側連結表面８０３の形態をとる。内側ライニング、連結バンド、または取り付けバンドと呼ぶこともできる内側連結表面８０３は、ゴムまたはゲルを含む任意の高摩擦または把持材料から作製され得る。しかし、他の例では、把持部材８０３は、追加的にまたは代替的に、１つまたは複数の突出部（たとえばタブ、ねじ山、フランジ）、１つまたは複数の凹部、１つまたは複数の磁石などを含むことができる。一例として、把持部材８０３は、追加的にまたは代替的に、延長式ソケットアクセサリ内の１つまたは複数の凹部と選択的に係合する１つまたは複数のばね付勢されたタブを含むことができる。
【００４５】
図１０に示すように、スピニングアクセサリ８００は、携帯電子デバイス（たとえば携帯電子デバイス１００）に取り付けられた、上記で説明したソケットアクセサリ２００などの延長式ソケットアクセサリの周りに一時的または恒久的に設置されるか、または置かれ得る。スピニングアクセサリ８００は、一部のケースでは、ソケットアクセサリまたはこれが取り付けられる携帯電子デバイスの色および／またはテクスチャに合致する１つまたは複数の色および／またはテクスチャを有することができる。いずれの場合も、スピニングアクセサリ８００が、たとえば、延長式ソケットアクセサリ２００上に設置されたとき、内側連結表面８０３は、ソケットアクセサリ２００のボタン２０４の外径表面８１０周りに置かれ、内側連結表面８０３の材料特性により、またボタン２０４の外径と内側連結表面８０３の直径との締まり嵌めの公差により、外径表面８１０にしっかりと係合する。代替的には、内側連結表面８０３は、スナップ嵌め、弾性圧縮、磁気連結、または他の手段によって外径表面８１０（またはボタン２０４の他の表面）に取り付けることができる。いくつかの実施形態では、連結は、前述の手段のいくつかの組み合わせを備え、および／またはねじ山連結などの機械的連結手段、またはアクセサリ８００の内側連結表面８０３内に形成された環状凹部にボタン２０４のボタン２０４の外径表面８１０をスナップ留めする連結を含んでもよい把持部材（たとえば把持表面）によって達成され得る。いくつかの実施形態では、把持部材は、さらに、または代替的に環状フランジまたは複数の環状フランジを有する内側連結表面８０３を含むこともでき、これらの環状フランジは、ボタン２０４がスピニングアクセサリ８００を通過しないように、組み立てられたときにボタン２０４の上部表面と当接する。スピニングアクセサリ８００がソケットアクセサリ２００のボタン２０４周りに置かれたとき、スピニングアクセサリ８００は、ソケットアクセサリ２００がそのさまざまな構成で延長されるか、または折り畳まれたときでもソケットアクセサリ２００に取り付けられたままであることができる。
【００４６】
スピニングアクセサリ８００が、ソケットアクセサリ２００に取り付けられたとき、少なくとも延長された表面８０２は、ボタン２０４の外径表面８１０を超えて軸方向に延びることが理解されよう。換言すれば、延長された表面８０２は、外径表面８１０の高さより大きい高さを有する。その結果、延長された表面８０２は、デスク上部またはテーブル上部などの外部表面上に載置することができる。前述に従い、これにより、携帯電子デバイス１００に取り付けられたソケットアクセサリ２００を、延長された表面８０２に対して、（スピニングアクセサリ８００のボール軸受組立体８０１により）摩擦の無い環境でスピンさせることが可能になる。
【００４７】
図１１および図１２は、さらに別の例のスピニングアクセサリ１１００を示す。スピニングアクセサリ１１００は、これがプラットフォーム１１０１と、アコーディオン１１０２と、ボタン１１０３と、（ボール軸受組立体４０４と同一である）ボール軸受組立体１１０４と、アコーディオン１１０２、ボタン１１０３、およびボール軸受組立体１１０４に結合されたフレーム１１０５とを含む点において、スピニングアクセサリ４００に類似するが、以下で説明する形で異なる。
【００４８】
最初に、全体的に類似しているが、プラットフォーム１１０１は、プラットフォーム４０１とはわずかに異なる構造を有し、アコーディオン１１０２は、アコーディオン４０２とはわずかに異なる構造を有する。より具体的には、この例のアコーディオン１１０２は、下方向に延びる第１のコネクタ１１２０（たとえば雄型スナップ嵌め部分）を有し、この第１のコネクタは、プラットフォーム１１０１の上方向に延びるフランジ１１２４によって担持された第２のコネクタ１１２２（たとえば雌型スナップ嵌め部分）と対合式に係合するように配置され、それによってアコーディオン１１０２をプラットフォーム１１０１に結合させる（およびその逆の形で結合させる）。
【００４９】
第２に、ボタン４０３に全体的に類似しているが、ボタン１１０３は、これが２つの異なる材料で二重成形されるか、または共成形されるという点において異なる。この例では、ボタン１１０３は、プラスチック材料から作製されたベース１１２６と、ゴム材料から作製され、ボタン１１０３の把持を容易にする周囲縁１１２８とを有する。しかし、他の例では、ボタン１１０３のベース１１２６および／または周囲縁１１２８は、１つまたは複数の異なる材料から作製され得る。
【００５０】
第３に、フレーム１１０５は、アコーディオン１１０２に同じように結合され、ボール軸受組立体１１０４を同じように担持するが、フレーム１１０５は、フレーム４０５とは構造的に異なる。フレーム１１０５はフレーム４０５の周囲リム４１０に類似する周囲リム１１１０を有するが、フレーム１１０５は中実であり（すなわちこれはリブを含まず）、これが、周囲リム１１１０の近くにフレーム１１０５から下方向に延びるフランジ１１３０も含むという点において異なる。この例では、フランジ１１３０は、周囲リム１１１０の径方向に内方向である位置においてフレーム１１０５から下方向に延びる。したがって、この例では、周囲リム１１１０は、アコーディオン１１０２の周囲の上部表面１１３２上に着座するように配置され、フランジ１１３０は、アコーディオン１１０２の周囲の内側表面１１３４と係合するように配置され、それによってフレーム１１０５をアコーディオン１１０２に結合する。いくつかの例では、フレーム１１０５もまた、タブ４０６に類似する複数のタブ１１０６を含むことができ、このタブは、周囲リム１１１０から外方向に延び、アコーディオン１１０２の周囲内およびその周りに形成された、スロット４０７のようなスロット１１０７内に配設可能であり、それによってフレーム１１０５をアコーディオン１１０２によりしっかりと結合させる。
【００５１】
第４に、フレーム１１０５は、フレーム４０５がボタン４０３に結合されるのとは異なる形でボタン１１０３に結合される。フレーム１１０５は、固定要素１１０８によってボタン１１０３に同様に結合されるが、固定要素１１０８は、固定要素４０８とは異なる。より具体的には、固定要素４０８とは異なり、固定要素１１０８は、ねじ山付きの外側表面を画定する突出部１１１３を有する。したがって、フレーム４０５とは異なり、ボタン１１０３は、ねじ山付きの内側表面を画定する下方向に延びる突出部１１１６を有する。したがって、突出部１１１３を、軸１１４の周りで中心に置かれ、フレーム１１０５によって担持されたボール軸受組立体１１０４の内方向に径方向に配置された、フレーム１１０５の開口部１１１５に挿入することができ、次いで、突出部１１１３の外側表面がフレーム１１０５の内側表面にねじ込み式に係合する（および逆の形で係合する）ように突出部１１１３を突出部１１１６に挿入することができる。
【００５２】
アクセサリ４００とアクセサリ１１００との間の先に述べた相違にもかかわらず、アクセサリ１１００は、アクセサリ４００と実質的に同一の形で作動する。フレーム１１０５がボタン１１０３に（ねじ山係合を介して）結合されたとき、ボタン１１０３は、ボール軸受組立体１１０４に連結される。より詳細には、ボタン１１０３の突出部１１１６は、ボール軸受組立体１１０４の内側リング内に取り外し可能に配設される。ボタン１１０３がボール軸受組立体１１０４の内側リングに結合されたとき、ボタン１１０３は、スピニングアクセサリ１１００の残りの部分（たとえば外側リング）に対して自由にスピンすることができる。したがって、スピニングアクセサリ１１００が携帯電子デバイス１００の表面（またはデバイス１００用のケース）に取り付けられ、そしてボタン１１０３が固定式の外部表面上に載置するように携帯電子デバイス１００（またはケース）が位置決めされたとき、ボタン１１０３は、外部表面上に載置する摩擦によって固定式のままであることができ、一方でスピニングアクセサリ１１００の残りの構成要素は、ボール軸受組立体１１０４の回転によって容易に（または比較的摩擦無しに）スピンする。他方では、スピニングアクセサリ１１００が携帯電子デバイス１００の表面（またはデバイス１００用のケース）に取り付けられ、携帯電子デバイス１００（またはケース）が固定式の外部表面上に載置しているとき、ボタン１１０３は、容易に（比較的摩擦無しで）スピンすることができ、一方でスピニングアクセサリ１１００の残りの構成要素（ならびにデバイス１００および／またはケース）は固定式のままである。
【００５３】
スピニングアクセサリの示されたバージョンの各々は、全体的に円形のプロファイルを備えたスピニングアクセサリを含むが、スピニングアクセサリが他の形状をとることができることを理解されたい。たとえば、図１０の実施形態に関して、ボール軸受に対応し、内側リングに対する円滑なスピン作用を容易にするために、外側リングの内側表面が円形であることが重要になり得るが、外側表面は任意の形状をとることができる。いくつかの実施形態では、外側リングの外側表面は、正方形、星形、三角形などの形状をとることができる。これらの代替的な形状は、ユーザによる把持を容易にすることができる。代替の形状は、図１０に関して明示的に述べられているだけであるが、本明細書において説明する実施形態のいずれもそのような代替の形状を同様に含むことができることを理解されたい。
【００５４】
上記の説明および図の説明は、本開示の実施形態の例示的な構成を示すことができ、本明細書において説明する実施形態内に含むことができる特徴および機能を理解するのを助けるために行われる。これらの実施形態は、図示する構成に制限されず、多様な代替の構成を使用して実施され得る。追加的に、装置は、さまざまな例示的な実施形態および実装形態に関して上記で説明されてきたが、これらがそれによって説明される個々の実施形態の１つまたは複数において説明されるさまざまな特徴および機能、が、その代わりに、単独でまたはいくつかの組み合わせで、本開示の他の実施形態の１つまたは複数に、そのような実施形態が説明されるかどうかにかかわらず、また、そのような特徴が説明される実施形態の一部であると提示されているかどうかにかかわらず、適用され得ることを理解されたい。したがって、特に特許請求の範囲における本開示の広がりおよび範囲は、上記で説明した例示的な実施形態のいずれにも限定されてはならない。
【００５５】
本文献において使用する用語および語句ならびにその変形形態は、別途明示的に述べられない限り、限定的ではなく、無制限であると解釈されなければならない。前述の一例として、用語「含む」は、「限定せずに含む」などを意味するように読み取られなければならず、用語「例」は、論議する項目の例示的な場合を、その網羅的または限定的リストではなく提供するために使用され、「従来」、「慣例的」、「標準」、「知られている」および類似の意味の用語などの形容詞は、説明する項目を所与の時間または所与の時間の時点で利用可能な項目に限定すると解釈されてはならず、その代わりに、現在または将来の任意の時間において利用可能になり得るか、または知られ得る従来の、慣例的な、普通の、または標準的な技術を包含するように読み取られなければならない。同様に、接続詞「および」によって繋げられた項目のグループは、これらの項目のあらゆるすべてが、そのグルーピング内に提示されることを必要とするとして読み取られてはならず、そうではなく、別途明示的に述べられない限り、「および／または」として読み取られなければならない。さらに、本開示の項目、要素、または構成要素は、単数で説明または特許請求され得るが、単数への限定が明示的に述べられない限り、複数がその範囲内にあるように企図される。いくつかの場合における「１つまたは複数」、「少なくとも」、「それだけに限定されないが」、または他の同様の語句などの広がりのある言葉および語句の存在は、そのような広がりのある語句が不在になり得る場合に、より狭い場合が意図されるか、または必要とされることを意味するように読み取られるものではない。追加的に、範囲が記載される場合、範囲の上限および下限は、その中の中間単位のすべてを含む。
【００５６】
前述の開示は、例示および説明の目的で提示されてきた。他の改変形態および変形形態が上記の教示を鑑みて可能となり得る。当業者が本発明を最適に利用できるように本発明の原理およびその実用的用途を説明するために選択される、前述の開示において説明された実施形態。先行技術によって限定される場合を除き、いずれの請求項も本発明の他の代替的な実施形態を含むように解釈されることが、意図される。
【図１】
2020516195.tif 000003
【図２】
2020516195.tif 000004
【図３】
2020516195.tif 000005
【図４】
2020516195.tif 000006
【図５】
2020516195.tif 000007
【図６】
2020516195.tif 000008
【図７】
2020516195.tif 000009
【図８】
2020516195.tif 000010
【図９】
2020516195.tif 000011
【図１０】
2020516195.tif 000012
【図１１】
2020516195.tif 000013
【図１２】
2020516195.tif 000014
【国際調査報告】
2020516195.tif 000015
2020516195.tif 000016
2020516195.tif 000017